【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
シートをニップ部で挟持して排出する排出ローラ対と、
前記排出ローラ対によって排出されたシートを積載するシート積載部と、
前記シート積載部に積載されたシートに接触し、前記シート積載部に積載されたシートが所定量であることを検知する検知フラグであって、前記排出ローラ対によって排出されるシートの通過軌跡と交わる第１の位置と、前記排出ローラ対によって排出されるシートの通過軌跡から退避した第２の位置と、に移動可能に設けられ、前記第１の位置において、前記シート積載部に積載されたシートに接触可能に設けられる検知フラグと、
前記排出ローラ対によって排出されるシートの排出方向において、前記ニップ部よりも下流側の位置で、かつ、前記検知フラグが前記第１の位置にある場合にシートの通過軌跡と交わる位置よりも上流側の位置で、前記排出ローラ対によって排出されるシートに接触可能に設けられ、シートが前記排出ローラ対によって排出されないときの第３の位置と、前記排出ローラ対によって排出されているシートに押されるときの第４の位置と、に移動可能なレバーと、
を有し、
前記検知フラグは、前記レバーが前記第４の位置にある場合、前記第２の位置にあるように、前記レバーの移動に連動して設けられることを特徴とするシート排出装置。
【請求項２】
前記検知フラグと前記レバーとを連結するリンク部材を更に有し、
前記レバーは、
前記リンク部材を介して前記検知フラグを前記第１の位置から前記第２の位置に移動させる、
ことを特徴とする請求項１記載のシート排出装置。
【請求項３】
前記レバーは、
前記排出ローラ対から排出されているシートに当接して移動することで排出されているシートを検知する検知センサのフラグである、
ことを特徴とする請求項１又は請求項２記載のシート排出装置。
【請求項４】
前記レバーは、
前記排出ローラ対のうちの何れか一方のローラのローラ軸に対して回動可能に設けられる、
ことを特徴とする請求項１から請求項３の何れか１項に記載のシート排出装置。
【請求項５】
前記検知フラグは、
前記シート積載部に積載された所定量のシートに接触することで、前記所定量のシートを検知する検知センサのフラグである、
ことを特徴とする請求項１から請求項４の何れか１項に記載のシート排出装置。
【請求項６】
請求項１から請求項５の何れか１項に記載のシート排出装置と、
シートに画像を形成する画像形成部と、を備え、
前記画像形成部により画像が形成されたシートを前記シート排出装置により排出する、
ことを特徴とする画像形成装置。
【手続補正２】
【補正対象書類名】明細書
【補正対象項目名】００１０
【補正方法】変更
【補正の内容】
【００１０】
本発明に係るシート排出装置は、シートをニップ部で挟持して排出する排出ローラ対と、前記排出ローラ対によって排出されたシートを積載するシート積載部と、前記シート積載部に積載されたシートに接触し、前記シート積載部に積載されたシートが所定量であることを検知する検知フラグであって、前記排出ローラ対によって排出されるシートの通過軌跡と交わる第１の位置と、前記排出ローラ対によって排出されるシートの通過軌跡から退避した第２の位置とに移動可能に設けられ、前記第１の位置において、前記シート積載部に積載されたシートに接触可能に設けられる検知フラグと、前記排出ローラ対によって排出されるシートの排出方向において、前記ニップ部よりも下流側の位置で、かつ、前記検知フラグが前記第１の位置にある場合にシートの通過軌跡と交わる位置よりも上流側の位置で、前記排出ローラ対によって排出されるシートに接触可能に設けられ、シートが前記排出ローラ対によって排出されないときの第３の位置と、前記排出ローラ対によって排出されているシートに押されるときの第４の位置と、に移動可能なレバーと、を有し、前記検知フラグは、前記レバーが前記第４の位置にある場合、前記第２の位置にあるように、前記レバーの移動に連動して設けられることを特徴とする。
【手続補正３】
【補正対象書類名】明細書
【補正対象項目名】００３１
【補正方法】変更
【補正の内容】
【００３１】
排出ローラ対としての排出ローラ１３０は、回転可能な一対のローラ１３０ａとローラ１３０ｂとを備え、ローラ１３０ａとローラ１３０ｂとが当接してニップ部ＮＰを形成している。排出ローラ１３０は、ニップ部ＮＰにおいて、定着部１２８から供給されるシートＰを挟持搬送して排紙トレイ１３２上に排出する。ローラ１３０ａは、図４及び図５に示すように、回転軸１３０ｃに一体に設けられ、回転軸１３０ｃが図示しない駆動部により回転する際に回転軸１３０ｃと一体に回転する。
【手続補正４】
【補正対象書類名】明細書
【補正対象項目名】００３４
【補正方法】変更
【補正の内容】
【００３４】
満載検知フラグ１３４は、排紙トレイ１３２に積載された所定量のシートに接触することで、所定量のシートを検知する検知センサのフラグである。具体的には、検知フラグとしての満載検知フラグ１３４は、排紙トレイ１３２に積載されたシートＰの最上位のシートＰに接触し、排紙トレイ１３２におけるシートＰの積載高さに応じた傾き状態になる。満載検知フラグ１３４は、所定の傾きになった際に、図示しないセンサに検知される。なお、画像形成装置１００は、このセンサにおける検知結果より、排紙トレイ１３２に排出されたシートＰが満杯になったものと判断して動作を停止する。
【手続補正５】
【補正対象書類名】明細書
【補正対象項目名】００４１
【補正方法】変更
【補正の内容】
【００４１】
作動部である回転レバー１３６は、シート搬送方向の排出ローラ１３０よりも下流側及び満載検知フラグ１３４よりも上流側に設けられている。即ち、レバーとしての回転レバー１３６は、排出ローラ１３０と満載検知フラグ１３４との間に設けられている。回転レバー１３６は、ローラ１３０ａの回転軸１３０ｃに遊嵌しており、回転軸１３０ｃに対して独立して回転可能に取り付けられている。
【手続補正６】
【補正対象書類名】明細書
【補正対象項目名】００４３
【補正方法】変更
【補正の内容】
【００４３】
回転レバー１３６は、満載検知フラグ１３４のシート押え部１３４ｂが接触位置（第１の位置）から待避位置（第２の位置）に移動する前において、排出ローラ１３０から排出されるシート搬送方向の先端が当接する当接部１３６ｂを、くの字状の直線部に備えている。当接部１３６ｂは、シート搬送方向においてニップ部ＮＰの直後に位置している。
【手続補正７】
【補正対象書類名】明細書
【補正対象項目名】００４９
【補正方法】変更
【補正の内容】
【００４９】
この状態において、排出ローラ１３０のローラ１３０ａとローラ１３０ｂとにより挟持搬送されるシートＰは、図６に示すように第３の位置に位置する回転レバー１３６の当接部１３６ｂに当接する。この際、シート搬送方向Ｄにおいてニップ部ＮＰの直後に当接部１３６ｂを位置させることにより、シートＰの腰を維持した状態でシートＰを当接部１３６ｂに当接させることができる。これにより、回転レバー１３６からの負荷によりシートＰが座屈することを確実に防ぐことができ、排出不良を防ぐことができる。特に、薄紙又は坪量の低い用紙等のシートＰを排出する場合であっても、排出不良を防ぐことができる。
【手続補正８】
【補正対象書類名】明細書
【補正対象項目名】００５０
【補正方法】変更
【補正の内容】
【００５０】
回転レバー１３６は、排出ローラ１３０からシートＰが排出されるにつれて、シート搬送方向に向かってシートＰに押されることにより、図３及び図５の矢印Ａ方向に回転して第４の位置に移動する。そして、リンク部材１３８は、回転レバー１３６が図３及び図５の矢印Ａ方向に回転することにより、図５の矢印Ｂ方向に移動し、ピン１３４ｄを介して連結片１３４ｃを図３及び図５の矢印Ｃ方向に回転させる。これにより、シート押え部１３４ｂは、図３及び図５の矢印Ｃ方向に回転して、図３に示すように待避位置（第２の位置）に移動する。このように、回転レバー１３６の動きをリンク部材１３８を介して満載検知フラグ１３４に伝達することにより、満載検知フラグ１３４を円滑に動作させることができる。
【手続補正９】
【補正対象書類名】明細書
【補正対象項目名】００５９
【補正方法】変更
【補正の内容】
【００５９】
１００  画像形成装置
１０２  給送カセット
１０４  原稿圧着板
１０６  原稿台ガラス
１０８  画像読取装置
１１０  露光部
１１２  感光ドラム
１１４  帯電ローラ
１１６  現像ローラ
１１８  給送ローラ
１２２  レジストローラ
１２４  転写ローラ
１２８  定着部
１２８ａ  定着ローラ
１２８ｂ  加圧ローラ
１３０  排出ローラ
１３０ａ  ローラ
１３０ｂ  ローラ
１３０ｃ  回転軸
１３２  排紙トレイ
１３４  満載検知フラグ（検知フラグ）
１３４ａ  回転軸
１３４ｂ  シート押え部
１３４ｃ  連結片
１３４ｄ  ピン
１３６  回転レバー（レバー）
１３６ａ  当接部
１３６ｂ  当接部
１３８  リンク部材
１３８ａ  長穴